(57)【要約】【課題】携帯端末を撮像装置に取り付けているときに携帯端末の着信が撮像装置の撮影に影響を与えないようにすることを目的とする。【解決手段】携帯端末２００は、着信機能を有し、カメラ１００に着脱可能であって、カメラ１００と通信する通信手段と、カメラ１００により撮影される画像を表示する表示手段と、カメラ１００が撮影動作であるか否かを判定手段と、カメラ１００に携帯端末２００が取り付けられると共に、前記判定手段によりカメラ１００が撮影動作であると判定された場合、前記着信機能を制限する制限手段と、を有することを特徴とする。【選択図】図４
2016025399.tif 000002
【特許請求の範囲】
【請求項１】
着信機能を有し、撮像装置に着脱可能な携帯端末であって、
前記撮像装置と通信する通信手段と、
前記撮像装置により撮影される画像を表示する表示手段と、
前記撮像装置が撮影動作であるか否かを判定する判定手段と、
前記撮像装置に該携帯端末が取り付けられている状態で前記判定手段により前記撮像装置が撮影動作であると判定された場合、前記着信機能を制限する制限手段と、を有することを特徴とする携帯端末。
【請求項２】
前記制限手段は、着信音の消音、および、バイブレーションの無効の少なくとも何れかを実行することを特徴とする請求項１に記載の携帯端末。
【請求項３】
前記制限手段は、該携帯端末が前記撮像装置にコネクタ接続により取り付けられている場合に、前記着信機能を制限することを特徴とする請求項１または２に記載の携帯端末。
【請求項４】
前記判定手段は、前記撮像装置のファインダーへの接眼を検知した接眼検知を前記撮像装置から受信することで前記撮像装置が撮影動作であると判定することを特徴とする請求項１ないし３の何れか１項に記載の携帯端末。
【請求項５】
前記表示手段は、前記接眼検知を前記撮像装置から受信することで表示を消灯することを特徴とする請求項４に記載の携帯端末。
【請求項６】
前記判定手段は、前記撮像装置から動画撮影している旨の情報または撮影準備している旨の情報を受信することで、前記撮像装置が撮影動作であると判定することを特徴とする請求項１ないし５の何れか１項に記載の携帯端末。
【請求項７】
前記制限手段は、前記判定手段により前記撮像装置が撮影動作であると判定されない場合、または、前記撮像装置から該携帯端末が取り外されている場合、前記着信機能を制限しないことを特徴とする請求項１ないし６の何れか１項に記載の携帯端末。
【請求項８】
前記制限手段により制限される設定を選択する選択手段を有することを特徴とする請求項１ないし７の何れか１項に記載の携帯端末。
【請求項９】
着信機能を有する携帯端末と着脱可能な撮像装置であって、
被写体を撮影する撮像手段と、
前記撮像手段により撮影される画像を前記携帯端末に送信する通信手段と、を有し、
前記通信手段は、前記携帯端末の着信機能を制限するために、該撮像装置が撮影動作である旨の情報を前記携帯端末に送信することを特徴とする撮像装置。
【請求項１０】
前記撮像手段により撮影される画像を表示する表示手段と、
ファインダーへの接眼を検知する接眼検知手段と、を有し、
前記表示手段は、前記接眼検知手段により接眼を検知した場合に表示を消灯することを特徴とする請求項９に記載の撮像装置。
【請求項１１】
前記ファインダーは、前記携帯端末から着信通知を受信した場合に、着信した旨を表示することを特徴とする請求項１０に記載の撮像装置。
【請求項１２】
前記撮像手段により撮影される画像を表示する表示手段を有し、
前記表示手段は、前記携帯端末から着信通知を受信した場合に、着信した旨を表示することを特徴とする請求項９に記載の撮像装置。
【請求項１３】
着信機能を有する携帯端末と撮像装置とが着脱可能に構成される撮影システムであって、
前記撮像装置は、
被写体を撮影する撮像手段、を有し、
前記携帯端末は、
前記撮像装置と通信する通信手段と、
前記撮像装置により撮影される画像を表示する表示手段と、
前記撮像装置が撮影動作であるか否かを判定する判定手段と、
前記撮像装置に前記携帯端末が取り付けられている状態で前記判定手段により前記撮像装置が撮影動作であると判定された場合、前記着信機能を制限する制限手段と、を有することを特徴とする撮影システム。
【請求項１４】
着信機能を有し、撮像装置に着脱可能な携帯端末の制御方法であって、
前記撮像装置と通信する通信ステップと、
前記撮像装置により撮影される画像を表示する表示ステップと、
前記撮像装置が撮影動作であるか否かを判定する判定ステップと、
前記撮像装置に該携帯端末が取り付けられている状態で前記判定ステップにより前記撮像装置が撮影動作であると判定された場合、前記着信機能を制限する制限ステップと、を有することを特徴とする携帯端末の制御方法。
【請求項１５】
着信機能を有する携帯端末と着脱可能な撮像装置の制御方法であって、
被写体を撮影する撮像ステップと、
前記撮像ステップにより撮影される画像を前記携帯端末に送信する通信ステップと、を有し、
前記通信ステップでは、前記携帯端末の着信機能を制限するために、該撮像装置が撮影動作である旨の情報を前記携帯端末に送信することを特徴とする撮像装置の制御方法。
【請求項１６】
着信機能を有する携帯端末と撮像装置とが着脱可能に構成される撮影システムの制御方法であって、
前記撮像装置は、
被写体を撮影する撮像ステップ、を有し、
前記携帯端末は、
前記撮像装置と通信する通信ステップと、
前記撮像装置により撮影される画像を表示する表示ステップと、
前記撮像装置が撮影動作であるか否かを判定する判定ステップと、
前記撮像装置に前記携帯端末が取り付けられている状態で前記判定ステップにより前記撮像装置が撮影動作であると判定された場合、前記着信機能を制限する制限ステップと、を有することを特徴とする撮影システムの制御方法。
【請求項１７】
着信機能を有し、撮像装置に着脱可能な携帯端末を制御するためのプログラムであって、
前記撮像装置と通信する通信ステップと、
前記撮像装置により撮影される画像を表示する表示ステップと、
前記撮像装置が撮影動作であるか否かを判定する判定ステップと、
前記撮像装置に該携帯端末が取り付けられている状態で前記判定ステップにより前記撮像装置が撮影動作であると判定された場合、前記着信機能を制限する制限ステップと、をコンピュータに実行させるためのプログラム。
【請求項１８】
着信機能を有する携帯端末と着脱可能な撮像装置を制御するためのプログラムであって、
被写体を撮影する撮像ステップと、
前記撮像ステップにより撮影される画像を前記携帯端末に送信する通信ステップと、をコンピュータに実行させ、
前記通信ステップでは、前記携帯端末の着信機能を制限するために、該撮像装置が撮影動作である旨の情報を前記携帯端末に送信することを特徴とするプログラム。
【発明の詳細な説明】
【技術分野】
【０００１】
本発明は、携帯端末、撮像装置、撮影システム、制御方法およびプログラムに関する。
【背景技術】
【０００２】
近年、携帯端末とカメラとを連携させることで携帯端末のディスプレイにカメラで撮影されている画像等、カメラに関する情報を表示できる技術が知られている。特許文献１では、撮像ユニットと表示ユニットの２つに分離可能な撮像装置が開示されている。
【先行技術文献】
【特許文献】
【０００３】
【特許文献１】特開２００７−３３６５２６号公報
【発明の概要】
【発明が解決しようとする課題】
【０００４】
ここで、携帯端末とカメラとを連携させる場合に、例えばカメラのアクセサリシューに携帯端末を取り付けて、携帯端末のディスプレイにカメラに関する情報を表示させる使用が考えられる。このような場合において、例えば携帯端末に内蔵される電話に着信があった場合、カメラの撮影に影響を与えてしまう虞がある。
【０００５】
本発明は、上述したような問題点に鑑みてなされたものであり、携帯端末を撮像装置に取り付けているときに携帯端末の着信が撮像装置の撮影に影響を与えないようにすることを目的とする。
【課題を解決するための手段】
【０００６】
本発明は、着信機能を有し、撮像装置に着脱可能な携帯端末であって、前記撮像装置と通信する通信手段と、前記撮像装置により撮影される画像を表示する表示手段と、前記撮像装置が撮影動作であるか否かを判定する判定手段と、前記撮像装置に該携帯端末が取り付けられている状態で前記判定手段により前記撮像装置が撮影動作であると判定された場合、前記着信機能を制限する制限手段と、を有することを特徴とする。
【発明の効果】
【０００７】
本発明によれば、携帯端末を撮像装置に取り付けているときに携帯端末の着信が撮像装置の撮影に影響を与えないようにすることができる。
【図面の簡単な説明】
【０００８】
【図１】撮像装置の構成を示す図である。
【図２】携帯端末の構成を示す図である。
【図３】第１の実施形態の非撮影動作時の撮影システムの概略動作を示す図である。
【図４】第１の実施形態の接眼検知時の撮影システムの概略動作を示す図である。
【図５】カメラの動作を示すフローチャートである。
【図６】携帯端末の動作を示すフローチャートである。
【図７】第１の実施形態の接眼検知時のカメラの動作を示すフローチャートである。
【図８】第１の実施形態の無線通信での接眼検知時の携帯端末の動作を示すフローチャートである。
【図９】第１の実施形態のコネクタ接続での接眼検知時の携帯端末の動作を示すフローチャートである。
【図１０】着信動作設定のテーブルの一例を示す図である。
【図１１】第２の実施形態の動画撮影時の撮影システムの概略動作を示す図である。
【図１２】第２の実施形態の動画撮影時のカメラの動作を示すフローチャートである。
【図１３】第２の実施形態の無線通信での動画撮影時の携帯端末の動作を示すフローチャートである。
【図１４】第２の実施形態のコネクタ接続での動画撮影時の携帯端末の動作を示すフローチャートである。
【図１５】着信動作を選択させる画面の一例を示す図である。
【図１６】着信通知をカメラに表示する一例を示す図である。
【発明を実施するための形態】
【０００９】
以下に、本発明に係る実施形態について添付の図面を参照して詳細に説明する。
（第１の実施形態）
まず、第１の実施形態の撮影システムについて説明する。本実施形態の撮影システムは撮像装置と携帯端末とが着脱可能に構成される。
＜撮像装置の構成＞
図１は、撮像装置の構成を示す図である。ここでは、撮像装置は、デジタルカメラ（以下、カメラ１００という）であるものとして説明する。
カメラ１００は、表示装置１０１、ＣＰＵ（中央処理装置）１０２、主記憶装置１０３、不揮発性メモリ１０４、通信インターフェース（Ｉ／Ｆ）１０５を備えている。また、カメラ１００は、撮像部１０６、画像処理部１０７、接眼検知部１０８、操作部１０９、記憶媒体１１０、コネクタ端子１１１、無線通信アンテナ１１２、バス１１３等を備えている。
【００１０】
表示装置１０１は、表示手段の一例であって、撮影した画像やユーザ設定画面、ライブビュー画像等を表示する。ＣＰＵ１０２は、後述する各種処理を実行するマイクロプロセッサ等から構成され、図５に示すフローチャートの処理を実行する。主記憶装置１０３は、ＲＡＭ等で構成され、画像処理部１０７のデータを一時的に保存するために使われる。不揮発性メモリ１０４は、フラッシュメモリ等で構成され、ユーザの設定情報等のカメラ１００の電源がＯＦＦの間も保持すべき情報、画像データを送信する度に生成される送信済み情報等を記憶する。また、不揮発性メモリ１０４は、撮影等の機器制御を行うオペレーティングシステム（ＯＳ）、画像データを送信する処理を行うプログラム（図５に示すプログラムコード）も格納する。通信Ｉ／Ｆ１０５は、通信手段の一例であって、コネクタ端子１１１または無線通信アンテナ１１２を介して外部機器と通信する際のインターフェースである。コネクタ端子１１１の例としてはアクセサリシュー、無線通信の例としてはＷｉ−Ｆｉ（商標登録）等がある。
【００１１】
撮像部１０６は、撮像手段の一例であって、被写体（デジタルカメラの場合は静止画）の撮影を行う。画像処理部１０７は、撮影した画像の圧縮等の画像処理を行う。接眼検知部１０８は、接眼検知手段の一例であって、ファインダーの近傍等に設置され、主にユーザがファインダーを覗いていることを検知する。操作部１０９は、実際の撮影（レリーズ）指示操作を行う場合やユーザ設定画面から所望の設定を入力する場合に用いる。記憶媒体１１０は、コンパクトフラッシュ（登録商標）メモリまたはＳＤ（Ｓｅｃｕｒｅ  Ｄｉｇｉｔａｌ）メモリから構成され、撮影した画像データを保存する。バス１１３は、上記構成要素間でデータや信号を授受する際の伝送路である。
【００１２】
カメラ１００は、撮像部１０６で撮影したライブビュー画像を画像処理部１０７で画像処理する。ＣＰＵ１０２は、画像データを主記憶装置１０３に格納し、その画像データは通信Ｉ／Ｆ１０５を介して外部機器に送信される。
【００１３】
＜携帯端末の構成＞
図２は、携帯端末の構成を示す図である。
携帯端末２００は、表示装置２０１、ＣＰＵ（中央処理装置）２０２、主記憶装置２０３、不揮発性メモリ２０４、通信インターフェース（Ｉ／Ｆ）２０５を備えている。また、携帯端末２００は、タッチ位置検出部２０６、着信通知部２０７、通話部２０８、操作部２０９、記憶媒体２１０、コネクタ端子２１１、無線通信アンテナ２１２、バス２１３等を備えている。
【００１４】
表示装置２０１は、表示手段の一例であって、ＵＩの表示等を行う。ＣＰＵ２０２は、後述する各種処理を実行するマイクロプロセッサ等から構成され、図７に示すフローチャートの処理を実行する。主記憶装置２０３は、ＲＡＭ等で構成され、不揮発性メモリ２０４に格納されているプログラムが展開される。不揮発性メモリ２０４は、フラッシュメモリ等で構成され、ユーザの設定情報等の携帯端末２００の電源がＯＦＦの間も保持すべき情報等を記憶する。また、不揮発性メモリ２０４は、機器制御を行うオペレーティングシステム（ＯＳ）、画像データを受信、操作命令を送信する処理を行うプログラム（図７に示すプログラムコード群）を格納する。通信Ｉ／Ｆ２０５は、通信手段の一例であって、コネクタ端子２１１または無線通信アンテナ２１２を介して外部機器と通信する際のインターフェースである。コネクタ端子２１１の例としてはカメラ１００のアクセサリシューに物理的に取り付け（装着）可能なマウント、無線通信の例としてはＷｉ−Ｆｉ（登録商標）、３Ｇ、ＬＴＥ等の電話回線がある。携帯端末２００のマウントおよびカメラ１００のアクセサリシューを着脱部として用いることでカメラ１００に携帯端末２００を取り付けることができる。
【００１５】
タッチ位置検出部２０６は表示装置２０１に重ねられるように実装され、タッチした位置の座標を検出する。ユーザは表示装置２０１に表示されたＵＩをタッチすることで、タッチ位置検出部２０６によりタッチした位置に対応した処理が実行される。着信通知部２０７は、制限手段の一例であって、通信先からの着信をユーザに通知する。ここでは、通信先からの着信をユーザに通知する機能を着信機能という。通話部２０８は、電話通話機能を実現する。操作部２０９は、所望の設定を入力する場合に用いる。記憶媒体２１０は、コンパクトフラッシュメモリまたはＳＤメモリから構成され、データを保存する。バス２１３は、上記構成要素間でデータや信号を授受する際の伝送路である。
携帯端末２００は、Ｗｉ−Ｆｉ、Ｂｌｕｅｔｏｏｔｈ（登録商標）等の通信機能を持つ市販のスマートフォンでも、カメラと独自の通信プロトコルを持つ専用端末であってもよい。
【００１６】
＜システム構成＞
カメラ１００と携帯端末２００とは、コネクタ接続や無線通信により通信可能に構成される。カメラ１００と携帯端末２００とを無線通信することでカメラ１００のライブビュー画像を携帯端末２００に送信でき、カメラ１００から離れた位置で構図を確認したり、カメラ１００の表示装置１０１で確認できないアングルから撮影したりできる。
また、携帯端末２００の表示装置２０１のタッチ入力機能を使用することで直感的なＵＩを利用することができる。すなわち、携帯端末２００の表示装置２０１にカメラ１００のコントロールパネルを表示させて、ユーザがコントロールパネルを操作することで携帯端末２００からカメラ１００をレリーズしたり撮影パラメータを変更したりすることができる。
なお、カメラ１００のコントロールパネルは、専用のアプリケーションを携帯端末２００にインストールしたり、カメラ１００内に保存されているコントロールパネルデータを携帯端末２００から参照したりすることで実現できる。また、カメラ１００の表示装置１０１と携帯端末２００の表示装置２０１とを併用することで表示可能な情報量を増やすことができる。
【００１７】
＜非撮影動作時の動作＞
次に、非撮影動作時のカメラ１００と携帯端末２００の概略動作について図３を参照して説明する。ここで、撮影動作とはユーザがカメラ１００のファインダーに接眼している状態および動画撮影している状態を含むものとし、非撮影動作とは撮影動作ではない状態をいうものとする。
図３（ａ）はカメラ１００から携帯端末２００を取り外した状態で通信している場合の非着信時の状態を示す図である。図３（ｂ）は取り付けた状態で通信している場合の非着信時の状態を示す図である。図３（ｃ）は取り外した状態で通信している場合の着信時の状態を示す図である。図３（ｄ）は取り付けた状態で通信している場合の着信時の状態を示す図である。
【００１８】
図３（ａ）は、例えば無線通信を用いてカメラ１００と、カメラ１００とは離れた場所にある携帯端末２００とで無線通信を行い、カメラ１００が撮影したライブビュー画像を双方の表示装置１０１、２０１に表示している状態を示している。
カメラ１００で撮影したライブビュー画像は、カメラ１００の無線通信アンテナ１１２から携帯端末２００の無線通信アンテナ２１２に送信される。画像受信後、携帯端末２００はＣＰＵ２０２により主記憶装置２０３にライブビュー画像を格納し、表示装置２０１に表示する。ここで、ライブビュー画像と共にカメラ１００の撮影パラメータも携帯端末２００に送信することにより、携帯端末２００からでもカメラ１００の撮影パラメータを確認することができる。ライブビュー画像および撮影パラメータは、コントロールパネルの所定の位置に配置され、携帯端末２００の表示装置２０１に表示される。これらの情報はカメラ１００から携帯端末２００に定期的に送信され、カメラ１００で撮影パラメータの変更があれば随時、表示装置２０１の表示が更新される。撮影パラメータには、カメラの撮影モード、ホワイトバランス設定、ＩＳＯ感度、撮影残り枚数、バッテリー残量、露出補正設定、ＡＦフレーム等が含まれる。
【００１９】
図３（ａ）のシステムでは、携帯端末２００のコントロールパネルにカメラ１００の操作部材を配置して表示することにより、ユーザは携帯端末２００からカメラ１００を遠隔操作することができる。具体的には、携帯端末２００の表示装置２０１にコントロールパネルを表示し、タッチ位置検出部２０６が携帯端末２００のユーザによるコントロールパネル内における操作の座標を検出する。携帯端末２００のＣＰＵ２０２はタッチ位置検出部２０６により検出された位置に対応した命令を無線通信アンテナ２１２を介してカメラ１００に送信する。カメラ１００のＣＰＵ１０２は命令を無線通信アンテナ１１２を介して受信して、受信した命令を処理して、主記憶装置１０３に格納されている対応するプログラムを実行する。コントロールパネルに表示される操作部材は、シャッターボタン、ＡＦボタン、撮影モード切り替えボタン、ＷＢ切り替えボタン、露出設定スライドバー、ＩＳＯ感度設定スライドバー等が含まれる。なお、携帯端末２００の表示装置２０１に表示されたライブビュー画像をタッチすることで、カメラ１００のＣＰＵ１０２はタッチされた座標に対応する位置にＡＦする。
【００２０】
図３（ｂ）は、カメラ１００に携帯端末２００を取り付けた状態を示している。カメラ１００と携帯端末２００の通信は、カメラ１００のコネクタ端子１１１と携帯端末２００のコネクタ端子２１１を介するコネクタ接続により行われる。コネクタ接続の場合であっても無線通信の場合と同様、表示装置２０１にライブビュー画像を表示したり、カメラ１００の撮影パラメータを表示したり、コントロールパネルからカメラ１００を操作することができる。
【００２１】
図３（ｃ）は、カメラ１００から携帯端末２００を取り外した状態で無線通信している場合に携帯端末２００が着信したときの状態を示している。携帯端末２００は通信Ｉ／Ｆ２０５を介して外部からの着信を受けると、着信通知部２０７はユーザに着信を通知する。具体的には、着信通知部２０７は着信音を鳴らしたり、バイブレータを振動させたり、ＬＥＤを発光させたりする。また、着信通知部２０７は表示装置２０１に着信中である旨の表示を行う。着信通知部２０７は、相手からの着信がなくなったり、タッチ位置検出部２０６や操作部２０９によりユーザの受信応答動作を検出したりするまで着信を通知する。
【００２２】
図３（ｄ）は、カメラ１００に携帯端末２００を取り付けた状態で通信している場合に携帯端末２００が着信したときの状態を示している。携帯端末２００は通信Ｉ／Ｆ２０５を介して外部からの着信を受けると、着信通知部２０７は図３（ｃ）と同様に、ユーザに着信を通知する。
【００２３】
＜カメラの動作＞
図５は、カメラと携帯端末が通信する場合のカメラの動作を示すフローチャートである。
ステップＳ５０１では、カメラ１００のＣＰＵ１０２は携帯端末２００と通信する接続モードに変更する。接続モードではカメラ１００と携帯端末２００とが無線通信またはコネクタ接続を用いた通信を可能にする。すなわち、接続モードにより、カメラ１００のライブビュー画像やカメラ１００の撮影パラメータを携帯端末２００に表示させたり、携帯端末２００からカメラ１００を操作したりすることが可能になる。カメラ１００のＣＰＵ１０２は接続モードに変更した後、携帯端末２００からの接続要求を待機する。
ステップＳ５０２では、ＣＰＵ１０２は携帯端末２００からの接続要求を受信する。
ステップＳ５０３では、ＣＰＵ１０２は携帯端末２００との接続処理を行う。
ステップＳ５０４では、ＣＰＵ１０２は接続処理が終了するとライブビュー画像の撮影を開始する。
ステップＳ５０５では、ＣＰＵ１０２はライブビュー画像を撮影する。
ステップＳ５０６では、ＣＰＵ１０２は撮影したライブビュー画像と撮影パラメータ等のカメラ情報とを携帯端末２００に送信する。このライブビュー画像と撮影パラメータは、携帯端末２００からの要求に応じて送信してもよいし、カメラ１００が定期的に送信するようにしてもよい。また、ライブビュー画像と撮影パラメータは一緒に送信してもよいし、個々に、それぞれのタイミングで送信してもよい。
【００２４】
ステップＳ５０７では、ＣＰＵ１０２は撮影動作を検知して、検知結果に応じた動作を行う。なお、本実施形態では、ユーザがファインダーに接眼している状態をもってユーザが撮影動作をしていると判断するものとする。ステップＳ５０７の詳細な処理について図７のフローチャートを参照して説明する。
ステップＳ７０１では、ＣＰＵ１０２は撮影動作を検知したか否か、すなわち接眼検知部１０８を介して接眼検知したか否かを判定する。接眼検知していない場合、ステップＳ７０２に進み、ＣＰＵ１０２は表示装置１０１をＯＮ（点灯）にする。一方、接眼検知している場合については後述する。なお、ＣＰＵ１０２は撮影動作である旨の情報、すなわち接眼検知した旨の情報をカメラ情報の一部として携帯端末２００に送信する。
【００２５】
図５のフローチャートに戻り、ステップＳ５０８では、ＣＰＵ１０２は携帯端末２００からの操作要求があったか否かを判定する。操作要求があった場合にはステップＳ５０９に進み、ＣＰＵ１０２は操作要求に応じた処理を行う。一方、操作要求がない場合にはステップＳ５１０に進む。
ステップＳ５１０では、ＣＰＵ１０２は携帯端末２００からの接続モードの終了要求があったか否かを判定する。終了要求があった場合にはステップＳ５１１に進み、ＣＰＵ１０２はライブビュー撮影の停止や通信の停止等の終了処理を行い、接続モードを終了する。一方、終了要求がない場合にはステップＳ５０５に戻り、ＣＰＵ１０２は再びライブビュー画像を撮影し、上述した処理を繰り返す。
【００２６】
＜携帯端末の動作＞
図６は、カメラと携帯端末が通信する場合の携帯端末の動作を示すフローチャートである。
ステップＳ６０１では、携帯端末２００のＣＰＵ２０２はカメラ１００と通信するためのアプリケーションを起動する。このアプリケーションは、カメラ１００と携帯端末２００とが無線通信またはコネクタ接続を用いた通信を可能にする。すなわち、携帯端末２００からカメラ１００のライブビュー画像を確認したり、アプリケーション上のＵＩからカメラ１００を操作したりすることが可能になる。
ステップＳ６０２では、ＣＰＵ２０２はカメラ１００に接続要求を送信する。
ステップＳ６０３では、ＣＰＵ２０２はカメラ１００との接続処理を行う。
ステップＳ６０４では、ＣＰＵ２０２はカメラ１００との接続処理が終了すると、着信があるか否かを判定する。着信がない場合、ステップＳ６０５に進み、ＣＰＵ２０２はカメラ１００からライブビュー画像とカメラ１００のカメラ情報とを受信する。
ステップＳ６０６では、ＣＰＵ２０２は受信したカメラ情報を表示装置２０１に表示する。
【００２７】
ステップＳ６０７では、ＣＰＵ２０２はカメラ１００による撮影動作の検知結果に応じた動作を行う。本実施形態では、上述したように撮影動作とはファインダーに接眼している状態をいう。ここで、ステップＳ６０７の詳細な処理について図８および図９のフローチャートを参照して説明する。図８は、カメラから取り外した状態で無線通信している場合の携帯端末の動作を示すフローチャートである。
ステップＳ８０１では、ＣＰＵ２０２はカメラ１００が撮影動作であるか否か、すなわち接眼検知したか否かを判定する。この処理は、判定手段の一例に対応する。ＣＰＵ２０２はカメラ１００からカメラ情報と共に送信される撮影動作である旨の情報、すなわち接眼検知した旨の情報を受信することで接眼検知を判定する。カメラ１００が接眼検知していない場合にはステップＳ８０２に進み、ＣＰＵ２０２は表示装置２０１に非接眼時表示を表示する。非接眼時表示とは図３（ａ）に示すような非撮影動作時に表示される画面をいう。一方、接眼検知している場合については後述する。
【００２８】
図９は、カメラに取り付けた状態で通信（コネクタ接続）している場合の携帯端末の動作を示すフローチャートである。
ステップＳ９０１では、ＣＰＵ２０２はカメラ１００が接眼検知したか否かを判定する。ＣＰＵ２０２はカメラ１００からカメラ情報と共に送信される接眼検知した旨の情報を受信することで接眼検知を判定する。カメラ１００が接眼検知していない場合にはステップＳ９０２に進み、ＣＰＵ２０２は表示装置２０１をＯＮ（点灯）にして、ライブビュー画像等のＵＩを表示する。
ステップＳ９０３では、ＣＰＵ２０２は非接眼時の着信動作を設定する。ここで、非接眼時の着信動作の設定について図１０に示すテーブルを参照して説明する。上述したように、着信を通知するには、着信音を鳴らしたり、バイブレータを振動させたり、ＬＥＤを発光させたりする。非接眼時には着信をユーザに通知することを優先するために、図１０のテーブルの非接眼時着信動作では、着信音を鳴らし、バイブレーションを有効にし、ＬＥＤを点滅させるように設定される。すなわち、着信通知部２０７は設定された図１０に示す非接眼時着信動作に基づいてユーザに着信を通知する。なお、図１０に示すテーブルは、携帯端末２００の不揮発性メモリ２０４や記憶媒体２１０に格納されている。一方、接眼検知されている場合については後述する。
【００２９】
図６のフローチャートに戻り、ステップＳ６０８では、ＣＰＵ２０２は携帯端末２００からの操作要求があったか否かを判定する。操作要求があった場合にはステップＳ６０９に進み、ＣＰＵ２０２はカメラ１００に操作要求を送信する。一方、操作要求がない場合にはステップＳ６１０に進む。
ステップＳ６１０では、ＣＰＵ２０２はアプリケーション終了要求があったか否かを判定する。終了要求があった場合にはステップＳ６１２に進み、ＣＰＵ２０２はアプリケーションを終了させ、カメラ１００に接続モードの終了要求を送信して終了処理を行う。一方、終了要求がない場合にはステップＳ６０４に戻り、ＣＰＵ２０２は再び着信があるか否かを判定し、上述した処理を繰り返す。
なお、ステップＳ６０４において、着信があった場合にはステップＳ６１１に進み、着信通知部２０７は現時点で設定されている着信動作に基づいてユーザに着信を通知する。
【００３０】
＜撮影動作時の動作＞
次に、撮影動作時のカメラ１００および携帯端末２００の動作について説明する。撮影動作時において、着信通知部２０７がユーザに着信を通知すると撮影に影響を与えてしまう可能性がある。そこで、撮影動作時には、着信通知部２０７が着信機能を制限することで、ユーザは着信の通知によって邪魔されることなく撮影することができる。
【００３１】
ここで、カメラ１００によりユーザがファインダーに接眼している状態を検知する場合、すなわち接眼検知について説明する。本実施形態では、図４に示すように、カメラ１００はファインダー３０１に近接した位置に接眼検知部１０８としての近接センサ３０２が配置されている。近接センサ３０２は、ユーザがファインダー３０１を覗いたこと、すなわち近接センサ３０２に近接したことを検知する。ユーザがファインダー３０１を覗いている場合、ユーザは短期間の間に撮影を行う可能性が非常に高いと想定できる。このとき、着信通知部２０７が着信を通知すると、ユーザの撮影に影響を与える可能性が高い。特に、カメラ１００に携帯端末２００が取り付けられている場合に着信通知部２０７が着信を通知すると、着信音やバイブレータの振動によって、ユーザが集中力を切らしたり、着信音に驚いたり、振動により手ブレが発生したりする。したがって、携帯端末２００がカメラ１００に取り付けられている場合、着信通知部２０７は着信音を消音したり、バイブレータを無効にしたりして、着信機能を制限する。
【００３２】
また、接眼検知時に表示装置１０１を消灯することにより消費電力を抑えることができる。すなわち、接眼検知時にはユーザはファインダー３０１を通じて被写体を注視するために、表示装置１０１を視認することはほとんどないものと想定できる。したがって、接眼検知時に表示装置１０１を消灯してもユーザに影響はない。
なお、接眼検知時における携帯端末２００の表示装置２０１の動作は、カメラ１００と携帯端末２００との取り付け形態によって異なる。
【００３３】
カメラ１００から携帯端末２００を取り外して、無線通信する場合、撮影者と携帯端末２００を使用している人物が異なる可能性がある。そのため、接眼検知時にカメラ１００の表示装置１０１および携帯端末２００の表示装置２０１の両方を消灯してしまうと、携帯端末２００を視認している人物が表示装置２０１を確認できなくなってしまう。一方、カメラ１００に携帯端末２００を取り付けている場合、携帯端末２００はカメラ１００に固定されているためにカメラ１００の表示装置１０１と携帯端末２００の表示装置２０１は同じ人物が確認する可能性が高い。したがって、接眼検知時にはカメラ１００の表示装置１０１と携帯端末２００の表示装置２０１の両方を消灯することで消費電力を抑えることができる。また、接眼検知時に携帯端末２００の表示装置２０１を消灯することで、ユーザが携帯端末２００から感じる眩しさを軽減させることができる。
【００３４】
＜接眼検知時の動作＞
次に、接眼検知時のカメラ１００と携帯端末２００の概略動作について図４を参照して説明する。
図４（ａ）はカメラ１００から携帯端末２００を取り外した状態で通信している場合の非着信時の状態を示す図である。図４（ｂ）は取り付けた状態で通信している場合の非着信時の状態を示す図である。図４（ｃ）は取り外した状態で通信している場合の着信時の状態を示す図である。図４（ｄ）は取り付けた状態で通信している場合の着信時の状態を示す図である。
【００３５】
図４（ａ）は、カメラ１００から携帯端末２００を取り外した状態で無線通信している場合に携帯端末２００が着信していない状態を示している。携帯端末２００の表示装置２０１は非撮影動作時と同様にカメラ１００のライブビュー画像を表示している。ここでは、表示装置２０１は、接眼していることを示す表示４０１も表示している。一方、非撮影動作時とは異なり、接眼検知時にはカメラ１００の表示装置１０１は消灯して消費電力を抑えている。
【００３６】
図４（ｂ）は、カメラ１００に携帯端末２００を取り付けた状態で通信（コネクタ接続）している場合に携帯端末２００が着信していない状態を示している。非撮影動作時とは異なり、接眼検知時にはカメラ１００の表示装置１０１および携帯端末２００の表示装置２０１は消灯して消費電力を抑えている。
【００３７】
図４（ｃ）は、カメラ１００から携帯端末２００を取り外した状態で無線通信している場合に携帯端末２００が着信した状態を示している。非撮影動作時と同様に、携帯端末２００は着信音を鳴らしたり、バイブレータを振動させたり、ＬＥＤを発光させたりして、ユーザに着信を通知する。一方、非撮影動作時とは異なり、接眼検知時にはカメラ１００の表示装置１０１は消灯して消費電力を抑えている。
【００３８】
図４（ｄ）は、カメラ１００に携帯端末２００を取り付けた状態で通信（コネクタ接続）している場合に携帯端末２００が着信した状態を示している。非撮影動作時とは異なり、携帯端末２００は着信音を消音にし、バイブレーションを無効にし、ＬＥＤを消灯して、ユーザに着信を通知しないようにする。また、接眼検知時にはカメラ１００の表示装置１０１および携帯端末２００の表示装置２０１は消灯して消費電力を抑えている。
【００３９】
＜接眼検知時のカメラの動作＞
まず、接眼検知時のカメラの動作について図５のフローチャートを参照して説明する。
なお、図５のフローチャートのうちステップＳ５０７以外は上述した非撮影動作時の処理と同様である。
ステップＳ５０７では、カメラ１００のＣＰＵ１０２は撮影動作を検知して、検知結果に応じた動作を行う。ここでは、撮影動作とはファインダーに接眼している状態である。ステップＳ５０７の詳細な処理について上述した図７のフローチャートを参照して説明する。
ステップＳ７０１では、ＣＰＵ１０２は接眼検知部１０８を介して接眼検知したか否かを判定する。ここでは、接眼検知しているのでステップＳ７０３に進み、ＣＰＵ１０２は表示装置１０１をＯＦＦ（消灯）にする。
【００４０】
＜接眼検知時の携帯端末の動作＞
次に、接眼検知時の携帯端末の動作について図６のフローチャートを参照して説明する。
なお、図６のフローチャートのうちステップＳ６０７以外は上述した非撮影動作時の処理と同様である。
ステップＳ６０７では、携帯端末２００のＣＰＵ２０２はカメラ１００による撮影動作の検知結果に応じた動作を行う。ここでは、撮影動作とはファインダーに接眼している状態である。
ステップＳ６０７の詳細な処理について上述した図８および図９のフローチャートを参照して説明する。図８は、カメラから取り外した状態で無線通信している場合の携帯端末の動作を示すフローチャートである。
ステップＳ８０１では、ＣＰＵ２０２はカメラ１００が接眼検知したか否かを判定する。ここでは、接眼検知しているのでステップ８０３に進み、ＣＰＵ２０２は表示装置２０１に接眼時表示を表示する。接眼時表示とは、図４（ａ）に示すようにカメラ１００に接眼していることを示す表示４０１をいう。表示４０１により、携帯端末２００の表示装置２０１を見ているユーザは、カメラ１００において接眼中であることを視認することができる。
【００４１】
図９は、カメラに取り付けた状態で通信（コネクタ接続）している場合の携帯端末の動作を示すフローチャートである。
ステップＳ９０２では、ＣＰＵ２０２はカメラ１００が接眼検知したか否かを判定する。ここでは、接眼検知しているのでステップ９０４に進み、ＣＰＵ２０２は表示装置２０１をＯＦＦ（消灯）する。
ステップＳ９０５では、ＣＰＵ２０２は接眼検知時の着信動作を設定する。ここで、接眼検知時の着信動作の設定について図１０に示すテーブルを参照して説明する。接眼検知時にはユーザの撮影に影響を与えないようにするために、図１０のテーブルの接眼時着信動作では、着信音を消音にし、バイブレーションを無効にし、ＬＥＤを消灯させるように設定される。すなわち、着信通知部２０７は設定された図１０に示す接眼時着信動作に基づいて着信の通知を制限する。
【００４２】
このように、本実施形態によれば、カメラ１００に携帯端末２００が取り付けられると共に、カメラ１００に接眼していると判定された場合に携帯端末２００の着信音を消音したり、バイブレーションを無効にしたりして、着信機能を制限する。したがって、携帯端末２００の着信によりカメラ１００の撮影に影響を与えることを防止することができる。
【００４３】
（第２の実施形態）
次に、第２の実施形態の撮影システムについて説明する。第１の実施形態では撮影動作がファインダーに接眼している状態である場合について説明したが、本実施形態では動画撮影している状態である場合について説明する。なお、第１の実施形態と同様の構成および動作は、適宜その説明を省略する。
【００４４】
＜非撮影動作時の動作＞
本実施形態において、非撮影動作時の動作は上述した図３の概略動作と同様である。
＜カメラの動作＞
図５は、カメラと携帯端末が通信する場合のカメラの動作を示すフローチャートである。
本実施形態では、ステップＳ５０７以外は第１の実施形態の動作と同様である。ステップＳ５０７の詳細な処理について図１２のフローチャートを参照して説明する。
ステップＳ１２０１では、ＣＰＵ１０２は動画撮影をしているか否かを判定する。動作撮影をしていない場合、ステップＳ１２０２に進み、ＣＰＵ１０２は表示装置１０１に非撮影動作時表示を表示する。非撮影動作時表示とは図３（ａ）に示すような非撮影動作時に表示される画面をいう。一方、動画撮影をしている場合については後述する。
【００４５】
＜携帯端末の動作＞
図６は、カメラと携帯端末が通信する場合の携帯端末の動作を示すフローチャートである。本実施形態では、ステップＳ６０７以外は第１の実施形態の動作と同様である。ステップＳ６０７の詳細な処理について図１３および図１４のフローチャートを参照して説明する。図１３は、カメラから取り外した状態で無線通信している場合の携帯端末の動作を示すフローチャートである。
まず、ステップＳ１３０１では、ＣＰＵ２０２はカメラ１００が動画撮影しているか否かを判定する。ＣＰＵ２０２はカメラ１００からカメラ情報と共に動画撮影している旨の情報を受信することで動画撮影を判定する。カメラ１００が動画撮影していない場合にはステップＳ１３０２に進み、ＣＰＵ２０２は表示装置２０１に非動画撮影時表示を表示する。非動画撮影時表示とは図３（ａ）に示す非撮影動作時に表示される画面をいう。一方、動画撮影している場合については後述する。
【００４６】
図１４は、カメラに取り付けた状態で通信（コネクタ接続）している場合の携帯端末の動作を示すフローチャートである。
ステップＳ１４０１では、ＣＰＵ２０２はカメラ１００が動画撮影しているか否かを判定する。ＣＰＵ２０２はカメラ１００からカメラ情報と共に動画撮影している旨の情報を受信することで動画撮影を判定する。カメラ１００が動画撮影していない場合にはステップＳ１４０２に進み、ＣＰＵ２０２は表示装置２０１をＯＮ（点灯）にして、ライブビュー画像等のＵＩを表示する。
ステップＳ１４０３では、ＣＰＵ２０２は非撮影動作時の着信動作を設定する。ここで、非撮影動作時の着信動作の設定は、第１の実施形態と同様に、着信をユーザに通知することを優先するために、着信音を鳴らし、バイブレーションを有効にし、ＬＥＤを点滅させるように設定される。すなわち、着信通知部２０７は設定された図１０に示す非接眼時着信動作に基づいてユーザに着信を通知する。一方、動作撮影している場合については後述する。
【００４７】
＜動画撮影時の動作＞
次に、動画撮影時のカメラ１００と携帯端末２００の概略動作について図１１を参照して説明する。動画撮影時も接眼検知時と同様に携帯端末２００の着信動作により撮影に影響を与える可能性がある。したがって、動画撮影時では携帯端末２００の着信通知を制限することが好ましい。本実施形態では、携帯端末２００がカメラ１００に取り付けられている場合、着信通知部２０７は着信音を消音したり、バイブレータを無効にしたりして、着信機能を制限する。
【００４８】
図１１（ａ）はカメラ１００から携帯端末２００を取り外した状態で通信している場合の非着信時の状態を示す図である。図１１（ｂ）は取り付けた状態で通信している場合の非着信時の状態を示す図である。図１１（ｃ）は取り外した状態で通信している場合の着信時の状態を示す図である。図１１（ｄ）は取り付けた状態で通信している場合の着信時の状態を示す図である。
【００４９】
図１１（ａ）は、カメラ１００から携帯端末２００を取り外した状態で無線通信している場合に携帯端末２００が着信していない状態を示している。携帯端末２００の表示装置２０１は非撮影動作時と同様にカメラ１００のライブビュー画像を表示している。なお、表示装置２０１は動画撮影していることを示す表示１１０１を表示してもよい。一方、カメラ１００の表示装置１０１はライブビュー画像を表示している。表示装置１０１は動画を撮影していることを示す表示１１０２を表示してもよい。
【００５０】
図１１（ｂ）は、カメラ１００に携帯端末２００を取り付けた状態で通信（コネクタ接続）している場合に携帯端末２００が着信していない状態を示している。カメラ１００から携帯端末２００を取り外した場合と同様、携帯端末２００の表示装置２０１は、ライブビュー画像を表示したり、撮影パラメータを表示したりすることができる。また、携帯端末２００に表示されたカメラコントロールパネルからカメラ１００を操作することができる。また、カメラ１００の表示装置１０１および携帯端末２００の表示装置２０１は動画を撮影していることを示す表示１１０１、１１０２を表示してもよい。
【００５１】
図１１（ｃ）は、カメラ１００から携帯端末２００を取り外した状態で無線通信している場合に携帯端末２００が着信した状態を示している。非撮影動作時と同様に、携帯端末２００は着信音を鳴らしたり、バイブレータを振動させたり、ＬＥＤを発光させたりして、ユーザに着信を通知する。また、カメラ１００の表示装置１０１は、非着信時と同様にライブビュー画像を表示している。また、カメラ１００の表示装置１０１は動画を撮影していることを示す表示１１０２を表示してもよい。
【００５２】
図１１（ｄ）は、カメラ１００に携帯端末２００を取り付けた状態で通信（コネクタ接続）している場合に携帯端末２００が着信した状態を示している。非撮影動作時とは異なり、携帯端末２００は着信音を消音にし、バイブレーションを無効にし、ＬＥＤを消灯して、ユーザに着信を通知しないようにする。また、カメラ１００の表示装置１０１および携帯端末２００の表示装置２０１は、非着信時と同様にライブビュー画像を表示している。なお、表示装置１０１、２０１は動画を撮影していることを示す表示１１０１、１１０２を表示してもよい。
【００５３】
＜動画撮影時のカメラの動作＞
動画撮影時のカメラの動作について図５のフローチャートを参照して説明する。
なお、図５のフローチャートのうちステップＳ５０７以外は第１の実施形態の動作と同様である。
ステップＳ５０７では、カメラ１００のＣＰＵ１０２は撮影動作を検知して、検知結果に応じた動作を行う。ここでは、撮影動作とは動画撮影している状態である。ステップＳ５０７の詳細な処理について図１２のフローチャートを参照して説明する。
ステップ１２０１では、ＣＰＵ１０２は動画撮影をしているか否かを判定する。ここでは、動画撮影をしているのでステップＳ１２０３に進み、ＣＰＵ１０２は表示装置１０１に撮影動作時表示を表示する。撮影動作時表示とは、図１１（ａ）に示すようにカメラ１００が動画撮影していることを示す表示１１０２をいう。
【００５４】
＜動画撮影時の携帯端末の動作＞
動画撮影時のカメラの動作について図６のフローチャートを参照して説明する。
なお、図６のフローチャートのうちステップＳ６０７以外は第１の実施形態の動作と同様である。
ステップＳ６０７では、携帯端末２００のＣＰＵ２０２はカメラ１００による撮影動作の検知結果に応じた動作を行う。ここでは、撮影動作とは動画撮影している状態である。
ここで、ステップＳ６０７の詳細な処理について上述した図１３および図１４のフローチャートを参照して説明する。図１３は、カメラから取り外した状態で無線通信している場合の携帯端末の動作を示すフローチャートである。
まず、ステップＳ１３０１では、ＣＰＵ２０２はカメラ１００が動画撮影しているか否かを判定する。ここでは、動画撮影しているのでステップＳ１３０３に進み、ＣＰＵ２０２は表示装置２０１に動画撮影時表示を表示する。動画撮影時表示とは、図１１（ａ）に示すようにカメラ１００が動画撮影していることを示す表示１１０１をいう。表示１１０１により、携帯端末２００の表示装置２０１を見ているユーザは、カメラ１００において動画撮影していることを視認することができる。
【００５５】
図１４は、カメラに取り付けた状態で通信（コネクタ接続）している場合の携帯端末の動作を示すフローチャートである。
ステップＳ１４０１では、ＣＰＵ２０２はカメラ１００が動画撮影しているか否かを判定する。ここでは、動画撮影しているのでステップＳ１４０４に進み、ＣＰＵ２０２は表示装置２０１に動画撮影時表示を表示する。動画撮影時表示とは、図１１（ｂ）に示すようにカメラ１００が動画撮影していることを示す表示１１０１をいう。表示１１０１により、携帯端末２００の表示装置２０１を見ているユーザは、カメラ１００において動画撮影していることを視認することができる。
ステップＳ１４０５では、ＣＰＵ２０２は撮影動作時の着信動作を設定する。ここで、撮影動作時の着信動作は、第１の実施形態の接眼検知時の着信動作と同様であり、着信音を消音にし、バイブレーションを無効にし、ＬＥＤを消灯させるように設定される。すなわち、着信通知部２０７は設定された図１０に示す接眼時着信動作に基づいて着信の通知を制限する。
【００５６】
このように、本実施形態によれば、カメラ１００に携帯端末２００が取り付けられると共に、カメラ１００が動画撮影していると判定された場合に携帯端末２００の着信音を消音したり、バイブレーションを無効にしたりして、着信機能を制限する。したがって、携帯端末２００の着信により動作撮影に影響を与えることを防止することができる。
【００５７】
（第３の実施形態）
次に、第３の実施形態について説明する。第１および第２の実施形態では、携帯端末２００の着信時の動作を予め設定する場合について説明したが、ユーザが適宜設定できるようにしてもよい。例えば、ユーザが緊急の着信を待機している場合や、撮影環境で音を立てたくない場合がある。また、ユーザが静止画を撮影したいときと動画を撮影したいときでは所望する着信動作が異なる場合もある。すなわち、静止画撮影では、カメラ１００に携帯端末２００を取り付けた状態以外は着信動作の影響が少ない。しかし、動画撮影では、携帯端末２００の取り付けの有無に関わらず、携帯端末２００の着信音が撮影に影響してしまう可能性がある。具体的には、動画撮影では音声も記録していることから、撮影中に携帯端末２００が着信すると、携帯端末２００の着信音が一緒に録音されてしまう。
したがって、本実施形態では、携帯端末２００をカメラ１００に取り付けたり、取り外したりするタイミングでユーザが着信動作を選択できるようにする。
【００５８】
図１５は、ユーザに着信動作を選択させる画面の一例を示す図である。
図１５（ａ）は、カメラ１００に携帯端末２００を取り付けたときに表示される画面である。ＣＰＵ２０２は表示装置２０１に予め登録してある設定を一覧で表示する。この処理は、選択手段による処理の一例に対応する。各設定の情報は、不揮発性メモリ２０４または記憶媒体２１０に格納されている。ユーザは所望する着信動作を選択することで、着信通知部２０７は選択された設定に基づいてユーザに着信を通知する。なお、所望する着信動作がない場合は、ＣＰＵ２０２はユーザの操作に応じて新たな設定を登録したり、予め設定された着信動作を編集したりする。
図１５（ｂ）は、カメラ１００から携帯端末２００を取り外したときに表示される画面である。ここでも、図１５（ａ）と同様に、ユーザが所望する着信動作の選択、登録および編集をすることができる。
【００５９】
このように、本実施形態によればカメラ１００に対して携帯端末２００を着脱するときに着信動作の設定を選択できるようにすることで、ユーザが所望する着信動作にすることができる。
【００６０】
（第４の実施形態）
次に、第４の実施形態について説明する。第１および第２の実施形態では、携帯端末２００の着信動作によりカメラ１００の撮影に影響を与えないように、着信通知部２０７が着信音を消音したり、バイブレータを無効にしたりして、着信機能を制限するために、ユーザは着信に気付くことができない。
本実施形態では、携帯端末２００が着信したことをカメラ１００に通知し、カメラ１００のＣＰＵ１０２はファインダー内および表示装置１０１の少なくとも何れかに着信していることを表示する場合について説明する。
【００６１】
図１６は、着信通知をカメラに表示する一例を示す図である。
カメラ１００が携帯端末２００から着信状態であることを示す情報を受信することに応じて、カメラ１００のＣＰＵ１０２はファインダー内または表示装置１０１に着信通知を表示する。
図１６（ａ）は、ファインダー内に着信通知を表示する一例を示す図である。図１６（ａ）に示すように、ファインダー内ディスプレイ１６０１に着信を通知する表示１６０２が表示される。
図１６（ｂ）は、カメラ１００の表示装置１０１に着信通知を表示する一例を示す図である。図１６（ｂ）に示すように、カメラ１００の表示装置１０１に着信を通知する表示１６０３が表示される。
【００６２】
なお、着信状態であることを示す情報は、図６のフローチャートのステップＳ６０９において携帯端末２００から操作要求と共に送信することができる。一方、図５のフローチャートのステップＳ５０９においてカメラ１００は携帯端末２００からの操作要求を処理するときに着信通知を表示させることで実現できる。
このように、本実施形態によれば、カメラ１００のファインダー内または表示装置１０１に着信通知を表示することにより、着信音やバイブレーションによってカメラ１００の撮影に影響を与えることなく、ユーザに着信を通知することができる。
【００６３】
以上、本発明を種々の実施形態と共に説明したが、本発明はこれらの実施形態にのみ限定されるものではなく、本発明の範囲内で変更等が可能であり、上述した実施形態を適時組み合わせてもよい。
【００６４】
第１および第２の実施形態では、カメラ１００に携帯端末２００を取り付けて通信する場合にコネクタ接続で通信する場合について説明したが、この場合に限られない。すなわち、カメラ１００に携帯端末２００を取り付ける場合にあってもコネクタ接続によらず無線通信で通信しても上述した動作と同様な動作を実現することができる。
【００６５】
また、第１および第２の実施形態では撮影動作がファインダーに接眼している状態および動画撮影している状態である場合について説明したが、この場合に限られない。例えば、撮影動作には、ユーザにより操作部１０９のレリーズボタンが半押しされ、ＣＰＵ１０２が撮影準備している状態を含めてもよい。この場合、ＣＰＵ２０２はカメラ１００からカメラ情報と共に撮影準備している旨の情報を受信することで撮影準備を判定する。
また、第１および第２の実施形態では着信通知部２０７が着信機能を制限するために、着信音を消音したり、バイブレーションを無効にしたり、ＬＥＤを消灯したりする場合について説明したが、少なくとも何れか一つを実行してもよい。
また、上述した実施形態において着信は、通話の着信であってもよく、メールを含む情報の着信等であってもよい。
【００６６】
また、上述した実施形態では、カメラ１００のアクセサリシューおよび携帯端末２００のマウントを着脱部として用いることでカメラ１００に携帯端末２００を直接、取り付ける場合について説明したが、この場合に限られない。例えば、携帯端末２００の着信がカメラ１００の撮影に影響するような近接する位置に、取付部材を介して携帯端末２００を取り付ける場合であってもよい。
また、本発明は、以下の処理を実行することによっても実現される。上述した実施形態の機能を実現するプログラムを、ネットワークまたは各種記憶媒体を介してカメラ１００または携帯端末２００に供給し、カメラ１００または携帯端末２００のコンピュータ（またはＣＰＵ等）がプログラムを読み出して実行する処理である。
【符号の説明】
【００６７】
１００：カメラ（撮像装置）  １０１：表示装置  １０２：ＣＰＵ  １０６：撮像部  １０８：接眼検知部  １１１：コネクタ端子  １１２：無線通信アンテナ  ２００：携帯端末  ２０１：表示装置  ２０２：ＣＰＵ  ２０６：タッチ位置検出部  ２１１：コネクタ端子  ２１２：無線通信アンテナ
【図１】
2016025399.tif 000003
【図２】
2016025399.tif 000004
【図３】
2016025399.tif 000005
【図４】
2016025399.tif 000006
【図５】
2016025399.tif 000007
【図６】
2016025399.tif 000008
【図７】
2016025399.tif 000009
【図８】
2016025399.tif 000010
【図９】
2016025399.tif 000011
【図１０】
2016025399.tif 000012
【図１１】
2016025399.tif 000013
【図１２】
2016025399.tif 000014
【図１３】
2016025399.tif 000015
【図１４】
2016025399.tif 000016
【図１５】
2016025399.tif 000017
【図１６】
2016025399.tif 000018